【事件の表示】
　特願２００２−　９９６２１「有機ＥＬアレイ露光ヘッド及びそれを用いた画像形成装置」拒絶査定不服審判事件〔平成１５年１０月１４日出願公開、特開２００３−２９１４０６〕について、次のとおり審決する。
【結　論】
　本件審判の請求は、成り立たない。
【理　由】
１　手続の経緯
　本件出願（以下「本願」という。）は、平成１４年４月２日の出願であって、平成１９年３月１２日付けで拒絶の理由が通知され、同年４月２５日付けで手続補正がなされたが、同年１０月１０日付けで拒絶査定がなされ、これに対し、同年１１月１５日に本件審判が請求されるとともに、同年１２月１７日付けで明細書についての手続補正がなされたものである。
　当審においてこれを審理した結果、平成２１年１１月９日付けで拒絶の理由を通知したところ、同年１２月４日付けで明細書についての手続補正がなされたものである。
　
２　本願発明
　本願の請求項１ないし９に係る発明は、平成２１年１２月４日付け手続補正により補正された明細書及び図面の記載からみて、その特許請求の範囲の請求項１ないし９に記載された事項により特定されるものであるところ、その請求項１に係る発明（以下「本願発明」という。）は、次のとおりのものである。
　「【請求項１】　少なくとも１列に配列された有機ＥＬ素子のアレイを備え、前記有機ＥＬ素子のアレイの発光側に、各有機ＥＬ素子の発光部にマイクロレンズアレイが配されており、前記マイクロレンズアレイは透明部材の発光光の射出側にマイクロレンズがアレイ状に配されてなるものであり、前記マイクロレンズアレイの前記発光光の入射側に、各有機ＥＬ素子の発光部を囲む円形のＶ溝状の溝が設けられ、その溝内に反射層が配置されており、前記溝内のＶ溝状の反射層の斜面が集光性の曲面からなり、前記マイクロレンズアレイと前記溝とが一体に構成されていることを特徴とする有機ＥＬアレイ露光ヘッド。」
　　
３　刊行物
（１）当審において平成２１年１１月９日付けで通知された拒絶の理由に引用された本願の出願前に頒布された刊行物である特開平１１−７８１１５号公報（以下「引用文献１」という。）には、以下の記載が図示とともにある。
　ア　「【０００１】
【発明の属する技術分野】本発明は、電子写真式光プリンタ、デジタル複写機、ファクシミリ等の光書込みユニットやスキャナ等の光読取りユニットに用いられるＬＥＤアレイ、ＥＬアレイ等の微小光源アレイを光源とする光学装置に関する。」
　イ　「【００１５】本実施の形態のＬＥＤアレイヘッド２は、図１（ｆ）に示すように、発光素子としての複数のＬＥＤ４が１列に配列されたＬＥＤアレイ（発光素子アレイ）５をベースとして形成されたもので、このＬＥＤアレイ５上には狭化光学系６を構成する反射ミラー７が各ＬＥＤ４毎に個別に形成されている。
【００１６】ここで、このような狭化光学系６はＬＥＤアレイ５上に集積化形成されるものであり、その製造方法を図１の工程順に示す縦断側面図を参照して説明する。まず、図１（ａ）に示すような幅１０μｍのＬＥＤ４が１列に配列されたＬＥＤアレイ５の基板８に、ミラー構造を形成するためのポリイミド９を２５μｍ厚で塗布する（図１（ｂ））。次いで、このポリイミド９をＬＥＤ４の位置に対応させてエッチングでミラー構造１０となる円錐台形状の開口部を形成する（図１（ｃ））。この際、円錐台形状のミラー構造１０のＬＥＤ側（底面側）直径は１０μｍ、射出側直径は２６μｍで径大となるように設定した。この上、全面にミラー反射面を形成するアルミニウム反射膜１１を成膜し（図１（ｄ））、ＬＥＤ４上面のアルミニウム反射膜１１のみを除去することで、円錐台形状の反射ミラー７が形成される（図１（ｅ））。即ち、反射ミラー７はＬＥＤ４の放射側周囲を取り囲む形状に形成される。最後に、アルミニウム保護膜と反射防止膜とを兼ねたＳｉＯ2 膜１２を全面的に成膜することにより、ＬＥＤアレイヘッド２が完成する。」
　ウ　「【００２０】本発明の第二の実施の形態を図３及び図４に基づいて説明する。前記実施の形態で示した部分と同一部分は同一符号を用いて示し、説明も省略する。本実施の形態では、ＬＥＤ４毎の狭化光学系２１が反射ミラー７と集光レンズ２２とにより形成されている。この集光レンズ２２も反射ミラー７と同様にＬＥＤアレイ５上に集積化形成されている。
【００２１】そこで、本実施の形態のＬＥＤアレイヘッド２３の製造方法を工程順に示す図３の縦断側面図を参照して説明する。まず、図１（ａ）〜（ｅ）に示した工程に従い、反射ミラー７を有するＬＥＤアレイヘッド構造を作製する（図３（ａ））。この際、ＬＥＤ４の直径は１０μｍ、反射ミラー７における円錐台形状のＬＥＤ４側の直径は１０μｍ、射出側の直径は３６μｍとした。即ち、本実施の形態では集光レンズ２２を形成するため、第一の実施の形態の反射ミラー７とは寸法が異なっている。次に、全面的に透明樹脂２４を膜厚７５μｍ程度に塗布する（図３（ｂ））。この透明樹脂２４の屈折率は１．４２である。この後、ドライエッチング法を用いて透明樹脂２４のＬＥＤ４に対応する部分に集光レンズ２２を形成する（図３（ｃ））。この集光レンズ２２の形状は双曲面形状をなす非球面レンズとされ、レンズ直径は４０μｍ、頂点の曲率半径は２５μｍ、円錐係数は−１．２９３４である。最後に、Ｃｒ遮光膜２５を集光レンズ２２以外の部分に形成する（図３（ｄ））ことにより、ＬＥＤアレイヘッド２３が完成する。
【００２２】このようなＬＥＤアレイヘッド２３を用いた場合、図４に示すように、ＬＥＤ４から放射された光の一部は直接光Ｌ3 としてそのまま結像光学系１に入射され、他の一部は周りに位置する反射ミラー７で反射されて間接光Ｌ4 として結像光学系１に入射することになる。結像光学系１の視野内に入射した光は、結像光学系１の集光作用を受けて感光面３に結像される。この際、反射ミラー７だけではＬＥＤ４の放射角を十分に絞り切れない場合もあるが、本実施の形態では、出射側に集光レンズ２２を備えているので、絞り切れない光が結像光学系１に入射するように集光レンズ２２によって放射角を狭めることができる。
【００２３】例えば、結像光学系１の位置がＬＥＤアレイヘッド２から１ｍｍ離れている場合、そこでの照度分布の半値幅は１５０μｍであり、これは９°の半値全幅に相当する。よって、第一の実施の形態に比較して集光レンズ２２を集積化させて組み込む手間は増えるものの、ＬＥＤ４の放射角を狭化させる性能は格段に向上するのが判る。照度の最大値は、反射ミラー７及び集光レンズ２２が無い場合と比較すると、約１０倍も向上したものである。
【００２４】
【発明の効果】請求項１記載の発明によれば、複数の発光素子を備えた発光素子アレイからの出射光を結像光学系を介して受光面に結像させる光学装置において、前記発光素子アレイ上に集積化形成されて個々の発光素子の放射角を狭化させる反射構造を含む狭化光学系を備えたので、放射角が広いために無駄にしていた光でも狭化光学系によって有効に結像光学系に入射させることができ、光の利用効率を高めることができる。」
  エ　「【００２６】請求項３記載の発明によれば、請求項１記載の光学装置の狭化光学系が、個々の発光素子の放射側周囲を取り囲んでその発光素子からの放射光中で結像光学系に入射しない方向の光を前記結像光学系側に向けて反射させる反射ミラーと、各反射ミラーよりも出射側に位置して前記結像光学系に入射させる光を集光する集光レンズとよりなり、請求項２記載の発明に加えて、集光レンズをも備えているので、反射ミラーだけでは十分に放射角を絞り切れない場合でも、集光レンズの集光機能を併用することで放射角を狭めて、結像光学系への入射効率を一層高めることができる。」
　オ　第３図及び第４図より、透明樹脂の光の出射側に集光レンズが配されてなる構造で、当該透明樹脂の光の入射側に反射ミラーが設けられているものが看取できる。
　
（２）上記（１）アないしオから、引用文献１には次の発明（以下「引用発明１」という。）が記載されていると認める。
　
「発光素子としての複数のＬＥＤが１列に配列されたＬＥＤアレイ（発光素子アレイ）をベースとして形成されたもので、このＬＥＤアレイ上には狭化光学系を構成する反射ミラーが各ＬＥＤ毎に個別に形成されており、透明樹脂の光の出射側に集光レンズが配されてなる構造で当該透明樹脂の光の入射側には反射ミラーが設けられ、ＬＥＤ毎の狭化光学系が反射ミラーと集光レンズとにより形成され、絞り切れない光が結像光学系に入射するように集光レンズによって放射角を狭めることができ、ＬＥＤが１列に配列されたＬＥＤアレイの基板に、ミラー構造を形成するためのポリイミドを塗布し、このポリイミドをＬＥＤの位置に対応させてエッチングでミラー構造となる円錐台形状の開口部を形成し、この上の全面にミラー反射面を形成するアルミニウム反射膜を成膜し、ＬＥＤ上面のアルミニウム反射膜のみを除去することで、円錐台形状の反射ミラーを形成し、反射ミラーはＬＥＤの放射側周囲を取り囲む形状に形成され、全面的に透明樹脂を塗布し、この後、ドライエッチング法を用いて透明樹脂のＬＥＤに対応する部分に集光レンズを形成し、この集光レンズの形状は双曲面形状をなす非球面レンズとされ、最後に、Ｃｒ遮光膜を集光レンズ以外の部分に形成して作成され、結像光学系の視野内に入射した光が結像光学系の集光作用を受けて感光面に結像されて、光の利用効率を高めることができるＬＥＤアレイヘッド」
　
（３）当審において平成２１年１１月９日付けで通知された拒絶の理由に引用された本願の出願前に頒布された刊行物である特開２００１−２５０９８６号公報（以下「引用文献２」という。）には、以下の記載が図示とともにある。
　ア　「【０００１】
【発明の属する技術分野】本発明は、発光素子をマトリクス状に配列して、各発光素子を１つのドットとして表示するドットマトリクス表示装置に関する。さらに詳しくは、発光素子が周囲に反射壁を有しないチップ型ＬＥＤまたはＬＥＤのベアチップがマウントされる場合でも、表示パネルの正面側に光を集光させ、正面側にとくに強い指向特性を有し、輝度の大きい表示装置とすることができる構造のドットマトリクス表示装置に関する。
【０００２】
【従来の技術】従来のドットマトリクス表示装置は、たとえば図３（ａ）にその一例の断面説明図が示されるように、表示パネル基板５１の表面側にたとえばチップ型の発光素子（以下ＬＥＤという）５２がマトリクス状に並べられ、表示パネル基板５１の裏面に図示しない駆動回路や、各ＬＥＤ５２への電源供給用端子などが設けられ、マトリクス状に並べられたＬＥＤ５２を選択的にオンオフさせることにより、所望の文字や図形を表示する構成になっている。また、ＬＥＤ５２の表面側には、断面形状が半円形、または楕円形のレンズケース５４が設けられることにより、正面側に光を集光して輝度を向上させる構造にされる場合がある。そして、この表示装置が何個も縦横に並べられて大型の表示ボードとして、公共の掲示板などに用いられている。」
　イ　「【０００６】本発明は、このような問題を解決するためになされたもので、反射壁を有しないチップ型発光素子や、ベアチップのＬＥＤをそのまま用いる場合でも、正面側にできるだけ多くの光を集光させ、正面側で輝度が大きく、また、隣のドットに光を漏れにくくして、認識しやすく表示品質の優れたドットマトリクス表示装置を提供することを目的とする。」
　ウ　「【００１５】レンズケース４は、図１（ｂ）に断面説明図が示されるように、たとえばアクリルまたはポリカーボネートなどからなる板状体の一面側で、発光素子２の位置に相当する部分に、凸部４１が形成されると共に、その内部に発光素子２を包含し得るように空洞部４２が形成されている。さらに、その空洞部４２の外周側に、空隙部４４が形成されている。」
　エ　「【００１７】レンズケース４の凸部４１が形成された面と反対面は、前述のように空洞部４２が形成されている。この空洞部４２は、発光素子２を内包すると共に、発光素子２からの光をできるだけ取り込んで正面側に屈折させることができるように、その側壁が形成されている。すなわち、レンズケース４の屈折率が１.５９程度と空気の屈折率１より大きいことにより屈折するため、正面側に屈折しやすくするように曲率の大きい曲面、または中心側に傾斜した傾斜面に形成されている。この空洞部４２の頂面は、図１（ｂ）に示されるように、ほぼ平面の形状に形成される場合もある。さらに底面の形状は発光素子２を内包できる構造であればよく、４角形以上の多角形または円形に形成される。底面が４角形状で、側壁を曲面にした空洞部４２の形状例が図２に示されている。Ｔが頂面、Ｓが側壁、Ｂが底面をそれぞれ示す。
【００１８】空洞部４２の周囲に設けられる空隙部４４は、前述のようにレンズケース４の屈折率が１.５９程度と空気の１より大きいことを利用して、発光素子２から横方向に出射されてレンズケース４内に取り込まれた光を全反射させて、正面側に向わせるためのもので、正面側に全反射をしやすい傾斜面４３となるように形成されている。すなわち、傾斜面４３の基板１とのなす角度θが、たとえばθ＝６０°程度以下となるように形成されることにより、横方向にきた光を全反射させて正面側に向わせることができる。この空隙部４４は、隣接するドット間に形成され、前述の空洞部４２の底面形状が４角形状である場合のレンズケース４の一部底面図が図１（ｃ）に示されるように、格子状に空隙部４４が形成されている。なお、図１（ｃ）でＭは空隙部の頂部を示し、Ｔ、Ｓ、Ｂは図２と同じ部分を示す。
【００１９】このレンズケース４は、アクリル、ポリカーボネート樹脂などを金型に流し込むことにより容易に製造することができるため、複雑な形状でも、一旦金型を作製すれば、容易に製造することができる。このレンズケース４は、接着剤により表示パネル基板１に固定されてもよいし、レンズケース４にフックを設けて表示パネル基板１と固定する構造、または図示しないカシメピンが設けられたカバーケースをレンズケース４の上から抑えつけてカシメピンにより固定する構造などにすることもできる。」
　オ　図１（ｂ）より、レンズケース４として、凸部４１と空隙部４４とが一体に構成されていることが看取できる。
　カ　図１（ｂ）及び（ｃ）より、「空隙部」は、基板側の幅を広く、凸部側の幅を狭く形成した断面略等脚台形形状の溝であることが、看取できる。
　
４　対比
　本願発明と引用発明１とを対比する。
（１）ＬＥＤと有機ＥＬ素子は、ともに発光素子の一種であるから、引用発明１の「発光素子としての複数のＬＥＤが１列に配列されたＬＥＤアレイ（発光素子アレイ）」は、本願発明の「少なくとも１列に配列された有機ＥＬ素子のアレイ」と、「少なくとも１列に配列された発光素子のアレイ」という意味において一致する。
　また、引用発明１の「ＬＥＤアレイヘッド」は、「感光面」に「結像」するためのものであるから、「露光ヘッド」であるといえ、同様に、本願発明の「有機ＥＬアレイ露光ヘッド」と、「発光素子アレイ露光ヘッド」という意味において一致する。
（２）引用発明１の「集光レンズ」、「透明樹脂の光の出射側」は、本願発明の「マイクロレンズ」、「透明部材の発光光の射出側」に相当する。
（３）引用発明１の「集光レンズ」は、「透明樹脂のＬＥＤに対応する部分」に形成されており、ＬＥＤ毎の狭化光学系が反射ミラーと集光レンズとにより形成され、複数のＬＥＤは１列に配列されたＬＥＤアレイとなっていることから、引用発明１の「集光レンズ」もＬＥＤアレイと同様に、アレイ状に配されていることは明らかである。
　してみれば、引用発明１の「透明樹脂の光の出射側に集光レンズが配されてなる構造」は、本願発明の「マイクロレンズアレイ」に相当する。
（４）引用発明１の「透明樹脂の光の入射側」は、本願発明の「『マイクロレンズアレイ』の『発光光の入射側』」に相当する。
（５）引用発明１の「マイクロレンズアレイ」は、「反射ミラー」とにより「ＬＥＤ毎の狭化光学系」を形成しており、「絞り切れない光が結像光学系に入射するように集光レンズによって放射角を狭めることができ」、「『円錐台形状の』『反射ミラーはＬＥＤの放射側周囲を取り囲む形状に形成され、全面的に透明樹脂を塗布し、この後、ドライエッチング法を用いて透明樹脂のＬＥＤに対応する部分に集光レンズを形成』」することから、各発光素子の発光部に配されていることは明らかである。
（６）引用発明１の「ＬＥＤの放射側周囲」とは、「発光素子の発光部」の周囲に他ならず、「『周囲を取り囲む』、『円錐台形状』」とは、本願発明の「周囲を囲む円形」に相当するから、引用発明１の「『円錐台形状』で、『ＬＥＤの放射側周囲を取り囲む形状』」は、本願発明の「各有機ＥＬ素子の発光部を囲む円形」と、「各発光素子の発光部を囲む円形」という意味で一致する。
　また、引用発明１の「アルミニウム反射膜」は、「円錐台形状の反射ミラー」形成しているから、本願発明の「『溝内に』、『配置された』、『反射層』」と、「構造内に、配置された、反射層」という意味で一致する。
　してみれば、引用発明１の「『透明樹脂の光の入射側に』設けられ、『ＬＥＤの放射側周囲を取り囲む形状に形成』され、『アルミニウム反射膜』により形成された『円錐台形状の反射ミラー』」は、本願発明の「各有機ＥＬ素子の発光部を囲む円形のＶ溝状の溝が設けられ、その溝内に反射層が配置されて」いる構造と、「各発光素子の発光部を囲む円形の構造が設けられ、その構造内に反射層が配置されて」いる構造という点で一致する。
（７）上記（１）ないし（６）からみて、本願発明と引用発明１とは、
　
　「少なくとも１列に配列された発光素子のアレイを備え、前記発光素子のアレイの発光側に、各発光素子の発光部にマイクロレンズアレイが配されており、前記マイクロレンズアレイは透明部材の発光光の射出側にマイクロレンズがアレイ状に配されてなるものであり、前記マイクロレンズアレイの前記発光光の入射側に、各発光素子の発光部を囲む円形の構造が設けられ、その構造内に反射層が配置されている、発光素子アレイ露光ヘッド。」の点で一致し、以下の点で相違する。
　
＜相違点１＞
　発光素子について、本願発明が「有機ＥＬ素子」であるのに対し、引用発明１は「ＬＥＤ」であり、「有機ＥＬ素子」ではない点。
　
＜相違点２＞
　前記マイクロレンズアレイの前記発光光の入射側に設けられた、各発光素子の発光部を囲む円形の構造について、本願発明が「『Ｖ溝状の溝』で、『前記溝内のＶ溝状の反射層の斜面が集光性の曲面からなり、前記マイクロレンズアレイと前記溝とが一体に構成されている』」のに対し、引用発明１は「ＬＥＤが１列に配列されたＬＥＤアレイの基板に、ミラー構造を形成するためのポリイミドを塗布し、このポリイミドをＬＥＤの位置に対応させてエッチングでミラー構造となる円錐台形状の開口部を形成し、この上の全面にミラー反射面を形成するアルミニウム反射膜を成膜し、ＬＥＤ上面のアルミニウム反射膜のみを除去することで、円錐台形状の反射ミラーを形成し、反射ミラーはＬＥＤの放射側周囲を取り囲む形状に形成され」てはいるが、本願発明のような溝ではない点。
　
５　判断
　上記相違点について検討する。
（１）相違点１について
  光プリンタのヘッドに用いられる発光素子アレイとして、「有機ＥＬ素子からなる有機ＥＬ素子アレイ」は、本願出願前に周知である（例：特開２０００−２３８３２５号公報、特開２００２−１９１７７号公報（段落００１５及び００２６等参照。）、特開２０００−７７１８８号公報（「有機ＬＥＤ」及び「有機ＬＥＤアレイ」が「有機ＥＬ素子」及び「有機ＥＬ素子アレイ」に相当。）等参照。（以下「周知技術１」という。））から、引用発明１において、発光素子として「有機ＥＬ素子」を採用して、上記相違点１に係る本願発明の構成となすことは、当業者が周知技術１に基づいて容易になし得ることである。
（２）相違点２について
　上記３（３）からみて、引用文献２には、「正面側にできるだけ多くの光を集光させ、正面側で輝度が大きく、また、隣のドットに光を漏れにくくするために、アクリルまたはポリカーボネートなどからなる板状体からなるレンズケースの一面側で、発光素子の位置に相当する部分に、凸部が形成されると共に、その内部に発光素子を包含し得るように、レンズケースの凸部が形成された面と反対面に空洞部が形成され、その空洞部の外周側に空隙部が形成され、空洞部は、発光素子を内包すると共に、発光素子からの光をできるだけ取り込んで正面側に屈折させることができるように、その側壁が形成され、レンズケースの屈折率が１.５９程度と空気の屈折率１より大きいことにより屈折するため、正面側に屈折しやすくするように曲率の大きい曲面、または中心側に傾斜した傾斜面に形成され、底面の形状は４角形以上の多角形または円形に形成され、空洞部の周囲に設けられる空隙部は、レンズケースの屈折率が１.５９程度と空気の１より大きいことを利用して、発光素子から横方向に出射されてレンズケース内に取り込まれた光を全反射させて、正面側に向わせるためのもので、正面側に全反射をしやすい傾斜面となるように形成され、傾斜面の基板とのなす角度θが、θ＝６０°程度以下となるように形成されることにより、横方向にきた光を全反射させて正面側に向わせることができ、この空隙部は、隣接するドット間に形成され、空隙部と凸部とを一体に構成し、空隙部は基板側の幅を広く凸部側の幅を狭く形成した断面略等脚台形形状の溝であり、格子状に空隙部が形成されたレンズケースを、表示パネル基板に固定したドットマトリクス表示装置」の発明（以下「引用発明２」という。）が記載されているものと認められる。
　引用発明２は、「ドットマトリクス表示装置」に関する発明であるが、ＬＥＤの光を集光させるための発明として、引用発明１の「ＬＥＤアレイヘッド」と共通しており、レンズ（凸部）と共にＬＥＤの光を反射させる構造を有する装置として共通の技術分野に属している。
　また、光を反射させる構造において、集光性の曲面は、本願出願前に周知である（例：特開２００１−１６２８５８号公報、実願昭５９−１２６７７８号（実開昭６１−４２００２号）のマイクロフィルム（以下「周知技術２」という。））
　さらに、引用発明２の「空隙部」は、断面略「等脚台形」形状の溝で、レンズ（凸部）側が狭く形成されており、この「空隙部」は側面形状により光を反射させるためのものであるから、その頂面の長さを極小とする（頂面の長さを極小とすれば、いわゆるＶ字溝となることは明らかである。）ことを含め、どの程度とするかは、当業者が適宜設定しうる事項にすぎない。
　してみれば、引用発明１において、レンズと共にその光を反射させる構造として、引用発明１の「反射ミラー」に代えて、引用発明２の「レンズ（凸部）と一体に構成した『空隙部』」の構造を、各発光素子の発光部を囲む円形の構造として採用し、その光を反射させる面の形状として、周知技術２のような集光性の曲面とし、また、その際の構造内の反射層の配置位置は、引用発明２の「空隙部」における光の反射する位置である「空隙部」の表面として、レンズ（凸部）と一体に構成し、溝形状をＶ字溝とし、上記相違点２に係る本願発明の構成となすことは、当業者が引用発明２及び周知技術２に基づいて容易になし得ることである。
（３）そして、本願発明の奏する効果は、引用発明１の奏する効果、引用発明２の奏する効果、周知技術１の奏する効果及び周知技術２の奏する効果から当業者が予測できた程度のものである。
　
６　むすび
　以上のとおり、本願発明は、当業者が引用文献１に記載された発明、引用文献２に記載された発明、周知技術１及び周知技術２に基づいて容易に発明をすることができたものであるから、特許法第２９条第２項の規定により特許を受けることができない。
　よって、結論のとおり審決する。